(57)【要約】【課題】本考案は何も手元に用意せず且つ手を汚すことなく、付着した髪の毛やゴミが簡単に除去出来ると共にその後の手入れが容易である掃除具付きヘアブラシを提供することを目的とする。【解決手段】上面11に多数の突起部12が一体成形されたブラシ本体１に長穴２を穿設し、該長穴２から突出可能な押上部材３がブラシ本体１に配設された構造とする。また前記長穴２をブラシ本体１の側面と平行に２本穿設し、前記押上部材３として、長穴２から突出可能な一対の押上片31と、該押上片31を支持する支持棒32と、各支持棒32の下端を固着させた台板33とから少なくとも成すと良く、前記ブラシ本体１と台板33の間にスプリング34を配設させるものとしても良い。【選択図】図１
0003140623.tif 000002
【実用新案登録請求の範囲】
【請求項１】
上面（11）に多数の突起部（12）が一体成形されたブラシ本体（１）に長穴（２）を穿設し、該長穴（２）から突出可能な押上部材（３）が前記ブラシ本体（１）に配設されたことを特徴とする掃除具付きヘアブラシ。
【請求項２】
前記長穴（２）が前記ブラシ本体（１）の側面と平行に２本穿設され、前記押上部材（３）が、前記長穴（２）から突出可能な一対の押上片（31）と、該押上片（31）を支持する支持棒（32）と、各支持棒（32）の下端を固着させた台板（33）とから少なくとも成された請求項１記載の掃除具付きヘアブラシ。
【請求項３】
前記ブラシ本体（１）と前記台板（33）の間に配置すると共に前記支持棒（32）に挿入するスプリング（34）が配設された請求項２記載の掃除具付きヘアブラシ。
【考案の詳細な説明】
【技術分野】
【０００１】
本考案はヘアブラシに関し、特には合成樹脂で突起部（植毛部分）とブラシ本体が一体成形されたヘアブラシに、付着した髪の毛やゴミが簡単に除去される掃除具付きヘアブラシに関する。
【背景技術】
【０００２】
一般にヘアブラシに付着した髪の毛やゴミを除去する場合は、細棒や綿棒などを植毛部分（突起部）やブラシ本体の表面に差し込んで掻き取り、更に植毛部分の上部に溜った髪の毛やゴミを手で除去してヘアブラシの掃除が行われていた。この時、細棒や綿棒などを手元に用意しなければならず、且つ、それらによって簡単に髪の毛やゴミを除去することは難しく、手が汚れて不潔であった。
【０００３】
このため、細棒や綿棒などが手元になくてもヘアブラシに付着した髪の毛やゴミを簡単に除去することが可能なヘアブラシとして、実開平６−１５２号が提案されている。この構造は、植毛と植毛との間にあるブラシの平面及び曲面にミゾをつけ、ブラシ柄の一部に細棒を取付けて、ブラシの内部に空洞を作り、その中へ細棒を格納したものであった。
【０００４】
しかしながら、実開平６−１５２号のヘアブラシを使用する場合は、ブラシ柄を本体側から外し、ブラシ柄に設けた細棒を植毛部分やその間にある面に差し込み、前記面に溜った抜け毛の下にミゾを介して細棒が入れられて掻き取るが、そのまま押上げると植毛部分に当り易く、髪の毛やゴミが細棒からズレ落ちてきれいに除去できないのが現状である。尚、実開平６−１５２号では、本考案品のように１回の操作で髪の毛やゴミをまとめて除去することは不可能である。
【特許文献１】実開平６−１５２号公報
【考案の開示】
【考案が解決しようとする課題】
【０００５】
本考案は何も手元に用意せず且つ手を汚すことなく、付着した髪の毛やゴミが簡単に除去出来ると共にその後の手入れが容易である掃除具付きヘアブラシを提供することを目的とする。
【課題を解決するための手段】
【０００６】
本考案は上記現状に鑑み成されたものであり、つまり、上面に多数の突起部が一体成形されたブラシ本体に長穴を穿設し、該長穴から突出可能な押上部材がブラシ本体に配設された構造とする。また前記長穴をブラシ本体の側面と平行に２本穿設し、前記押上部材として、長穴から突出可能な一対の押上片と、該押上片を支持する支持棒と、各支持棒の下端を固着させた台板とから少なくとも成すと良く、前記ブラシ本体と台板の間にスプリングを配設させるものとしても良い。
【考案の効果】
【０００７】
請求項１のように上面（11）に多数の突起部（12）が一体成形されたブラシ本体（１）に長穴（２）を穿設し、該長穴（２）から突出可能な押上部材（３）がブラシ本体（１）に配設されることにより、何も手元に用意せず且つ手を汚すことなく、付着した髪の毛やゴミが簡単に除去出来ると共にその後の手入れが容易となる。
【０００８】
請求項２のように長穴（２）をブラシ本体（１）の側面と平行に２本穿設し、押上部材（３）として、長穴（２）から突出可能な一対の押上片（31）と、該押上片（31）を支持する支持棒（32）と、各支持棒（32）の下端を固着させた台板（33）とから少なくとも成すことにより、簡単な構造の押上部材（３）がブラシ本体（１）に配設でき、且つ付着した髪の毛やゴミが簡単に除去出来るものとなる。
【０００９】
請求項３に示すようにブラシ本体（１）と台板（33）の間に配置すると共に支持棒（32）に挿入させるスプリング（34）を配設することにより、ヘアブラシを使用する際には通常状態と同様に用いることが出来ると共に、付着した髪の毛やゴミが溜って除去する際には、台板（33）を手で押せば簡単に押上片（31）が押上げられて前記髪の毛やゴミが極めて除去し易い状態になり、且つ手を台板（33）から離せば自然に元の状態となり、操作が極めて簡単なものとなる。
【考案を実施するための最良の形態】
【００１０】
図１、図２は本考案の実施形態を示す図であり、これに基づき説明する。(１)は上面（11）に多数の突起部（12）が合成樹脂で一体成形されたブラシ本体であり、該ブラシ本体（１）の上面（11）は平面或いは曲面である。また前記突起部（12）は柱状，円錐状，先端に球状を設けたものとしても良い。（２）はブラシ本体（１）の側面と平行に２本穿設された長穴であり、該長穴（２）は突起部（12）が配列する列間に穿設されると共にその長穴（２）の両端には段部が設けられている。尚、前記長穴（２）は２本に限定されるものではない。
【００１１】
（３）は長穴（２）から突出可能であり且つブラシ本体（１）に配設された押上部材であり、該押上部材（３）は、長穴（２）より若干短い長さを有した一対の押上片（31）と、該押上片（31）を支持する４本の支持棒（32）と、各支持棒（32）の下端を固着させた台板（33）と、前記ブラシ本体（１）と台板（33）の間に配置すると共に前記支持棒（32）に挿入して配設されたスプリング（34）とから成されている。前記押上片（31）の上面はブラシ本体（１）の上面（11）と面一になる形状、つまり平面或いは曲面に形成されている。また前記支持棒（32）の上部は押上片（31）と固着されると共に支持棒（32）の下部は台板（33）に固着しており、前記支持棒（32）の太さは長穴（２）の幅と略同一にするのが好ましい。尚、前記支持棒（32）は４本に限定されるものではない。又、前記スプリング（34）は各支持棒（32）に必ずしも挿入して配設しなくても、押上片（31）がスムーズに移動する時は２本としても良い。
【００１２】
次に本考案品の組立方法について説明する。予め上面（11）に多数の突起部（12）が一体成形されたブラシ本体（１）に長穴（２）が穿設されたものを用意すると共に、４本の支持棒（32）が立設された台板（33）も用意しておく（図２参照）。先ず始めに、上面（11）側から押上片（31）を長穴（２）に挿入する。次に各支持棒（32）にスプリング（34）を挿入して配設させ、この状態で台板（33）を押上げ、前記押上片（31）の穴に、支持棒（32）の先端を嵌合させると共に瞬間接着剤などを併用して固着させる。その後、押上片（31）の突出具合とスムーズな移動状態がチェックできれば本考案品は完成である。尚、前記支持棒（32）は予め押上片（31）に固着させておき、長穴（２）に支持棒（32）を挿入すると共に押上片（31）も挿入して配置させ、その後、スプリング（34）を各支持棒（32）に挿入して配設させる。そして、押上片（31）の下部を台板（33）側に固着させる組立方法とした部品構成としても良い。
【００１３】
次に本考案品の使用方法について説明する。先ず始め本考案品を用いて整髪すると、ブラシ本体（１）の突起部（12）に抜け毛が絡まって付着し、徐々に突起部（12）の根元近くまで髪の毛やゴミが付着すると共にブラシ本体（１）の上面（11）にも髪の毛やゴミが付着する。この状態は、従来の一体化した合成樹脂製のヘアブラシを使用する場合と同様である。その後、突起部（12）や上面（11）に髪の毛やゴミが付着して溜った場合には、その髪の毛やゴミをきれいに除去して掃除すれば良い。この除去して掃除する場合について説明する。先ず、台板（33）を手で押上げると、図１の２点鎖線の位置まで押上片（31）が押上げられる。この時、押上片（31）によって、上面（11）や突起部（12）の根元近くに付着した髪の毛やゴミが一気に押上げられて突起部（12）の上部にまとめられる。また手を台板（33）から離せばスプリング（34）によって、押上片（31）は自然に元の位置に戻されるのである。その後、突起部（12）の上部にまとめて溜った髪の毛やゴミは、紙などで包むようにして除去すれば良い。この時、溜った髪の毛やゴミは、紙などで包む以外に、ピンセットや指で摘んで除去しても良いが、直接にそれらに触れずに除去した方が衛生的である。
【００１４】
このように押上片（31）を押上げるだけの簡単な操作で、上面（11）や突起部（12）に付着した髪の毛やゴミが押上片（31）によって、極めて除去し易い状態になるため、短時間で且つきれいにブラシ本体（１）が掃除されるものとなり、いつでもきれいな状態のブラシ本体（１）が使用できるものとなるのである。
【図面の簡単な説明】
【００１５】
【図１】本考案の要部断面を示す説明図である。
【図２】本実施形態の分解部品を示す斜視図である。
【符号の説明】
【００１６】
１  ブラシ本体
11  上面
12  突起部
２  長穴
３  押上部材
31  押上片
32  支持棒
33  台板
34  スプリング
【図１】
0003140623.tif 000003
【図２】
0003140623.tif 000004